(57)【特許請求の範囲】
【請求項１】
各種の信号を相互に中継、伝送する無線ネットワークシステムにおいて、超高周波発振用共振器に、負性抵抗を発生するようにトランジスタを集積化させるとともに電磁波を空間へ放射するアンテナの機能を共用させるように構成した放射型発振装置と、
上記放射型発振装置に中間周波数信号を出力する中間周波数信号発生部と、
送信されてきた信号を受信する受信信号検出部と、
を備える無線通信装置を複数有し、その複数の無線通信装置を互いに引き込み現象を起こす位置に対向させて配置し、
上記複数の無線通信装置の少なくとも１つは、中間周波数信号発生部が他と異なる周波数帯信号発生機能を持ち、また受信信号検出部が他と異なる周波数帯を弁別し受信できる機能を有し、
一の無線通信装置の送出した信号は、対向する他の無線通信装置に伝送され、その対向する他の無線通信装置はその受信信号検出部で受信して取り出すことを特徴とする、無線ネットワークシステム。
【請求項２】
上記複数の無線通信装置の各々は、１または複数の指向性ビームを持つ、請求項１に記載の無線ネットワークシステム。
【請求項３】
上記複数の無線通信装置の各中間周波数信号発生部及び各受信信号検出部は、互いに同じ周波数帯を共有する、請求項１または２に記載の無線ネットワークシステム。
【請求項４】
上記複数の無線通信装置の各放射型発振装置の少なくとも１つは、周波数安定化機能が施されている、請求項１から３の何れか１項に記載の無線ネットワークシステム。
【請求項５】
上記複数の無線通信装置の各中間周波数信号発生部は、固有のアドレス信号を重畳する機能を持ち、何れの無線通信装置から発した信号であるかを識別できるようになっている、請求項１から４の何れか１項に記載の無線ネットワークシステム。
【請求項６】
上記複数の無線通信装置の各中間周波数信号発生部は、各種のセンサーまたは他のセンサーネットワークからの信号と接続し、その取得データを転送する機能を持つ、請求項１から５の何れか１項に記載の無線ネットワークシステム。
【請求項７】
当該無線ネットワークシステムは、他の有線または無線通信ネットワークと接続され統合的に制御管理される、請求項１から６の何れか１項に記載の無線ネットワークシステム。
【発明の詳細な説明】
【技術分野】
【０００１】
本発明は、各種の信号を高品質に中継、伝送する無線ネットワークシステムに関するものである。
【背景技術】
【０００２】
映像情報などの広帯域なデジタル信号を高品質に伝送するための無線通信システムとして、マイクロ波やミリ波を用いた無線ＬＡＮや無線映像伝送システムが開発され、さらに、中小規模の工場や大規模な生産施設内での監視制御や、施設の防犯監視、過疎地域の防災安全監視などの立場から、無線を用いたセンサーネットワークの構成が検討されている。
通常の無線通信装置において、送信機側では、信号処理を行い易い周波数、数十ＭＨｚ〜数百ＭＨｚ、場合によっては数ＧＨｚ帯の中間周波数において変調等の処理を行い、局部発振器からの信号と合成し、例えば６０ＧＨｚ帯の伝送周波数へ周波数変換（アップコンバート）して給電線路を経てアンテナから放射する。受信機側では受信アンテナからの無線周波数信号を増幅し、さらに局部発振器からの信号と合成し中間周波数帯へ周波数変換（ダウンコンバート）し、その後、チャンネルの抽出と信号の復調を行う。この構成は、周波数の上昇と共に技術的な困難が伴い、また高安定で十分大きな出力を要求される局部発振器の効率低下、周波数変換装置における損失など無線装置の効率低下といった問題点を有し、さらにコストも増大するため、無線ネットワークの実用化と普及の大きな妨げになっている。
これに対し、アンテナと無線周波数回路部を集積化し、低コスト化を目指すアクティブアンテナの試みや、増幅素子を電磁波の放射構造と一体化した放射型発振装置の構成が提案されている。この放射型発振装置の構成は、極めて単純な構成であり、低コストの無線ネットワークの構成部品としての応用の可能性が期待される。
無線ネットワークの構成として、すでに実用化が進んでいるブルートゥースや、ワイファイ（Ｗｉ−Ｆｉ）という名称で知られる一連のＩＥＥＥ８０２．１１ワイヤレス標準がある。一方で、これらに比べ２桁低速だが、低コストで低電力消費のネットワークが構成できるとされるジグビー（ＺｉｇＢｅｅ）も新しい手段として広まろうとしている。
ジグビーは、ＩＥＥＥ８０２．１５．４の標準に対応する技術であり短距離の低速無線リンクとして魅力的であるが、ブルートゥース、ワイファイと同様に、周波数利用の面では、近年大変込み合っている２．４ＧＨｚ帯の無線システムである。
一方でさらに、高い周波数である６０ＧＨｚ帯ミリ波による広帯域デジタル情報伝送を行う際に、周波数変換装置の局部発振器の位相雑音、周波数安定度が不十分であると、周波数ドリフト、位相ノイズにより広帯域なデジタル信号を高品質に伝送できない問題を解決するために、自己ヘテロダイン方式の無線通信装置技術及びそれらに基づく無線システム構成技術が開示されている。
例えば、特開２００５−３４８３３２号公報（以下、特許文献１という。）及び特開２００３−１９８２５９号公報（以下、特許文献２という。）に開示された自己ヘテロダイン方式では、送信機で用いる局部発振器が安価で周波数の不安定なものであっても、これによって生じた周波数ずれや位相雑音は検波時に完全に相殺され、位相雑音と周波数安定性に対する要求が厳しい、ミリ波帯の無線ＬＡＮや無線映像伝送システムに対しても良好に信号が伝送することが確認されている。
さらに、特開２００３−２４４０１６号公報（以下、特許文献３という。）では、他のシステムとの中継の用途を含めた無線通信ネットワークシステムを構成する際に必要な周波数の再変換、すなわち中間周波数への変換課程を経て再度無線伝送周波数への変換を行うが、この際、周波数変換装置の局部発振器の位相雑音、周波数安定度の性能が十分でないと、周波数ドリフト、位相ノイズにより広帯域なデジタル信号の品質低下を生じる問題に対応するために。高安定な基準信号を無線で供給しシステムを構成する技術が開示されている。
また、特許３１４６２６０号公報（以下、特許文献４という。）、特許３３５５３３７号公報（以下、特許文献５という。）及び非特許文献１”Ｒ．Ａ．Ｆｌｙｎｔ，Ｊ．Ａ．Ｎａｖａｒｒｏ  ａｎｄ  Ｋ．Ｃｈａｎｇ，’Ｌｏｗ  Ｃｏｓｔ  ａｎｄ  Ｃｏｍｐａｃｔ  Ａｃｔｉｖｅ  Ｉｎｔｅｇｒａｔｅｄ  Ａｎｔｅｎｎａ  Ｔｒａｎｓｃｅｉｖｅｒ  ｆｏｒ  Ｓｙｓｔｅｍ  Ａｐｐｌｉｃａｔｉｏｎ，’ＩＥＥＥ  Ｔｒａｎｓ．Ｍｉｃｒｏｗａｖｅ  Ｔｈｅｏｒｙ  Ｔｅｃｈ．，Ｖｏｌ．４４，ｐｐ．１６４２−１６４９，１９９６”は、トランジスタを負性抵抗増幅器として用いた平面型共振器の構造からなる放射型発振装置の例を開示しており、非特許文献１では、放射型発振装置を対向させ送受信信号が互いに直交する偏波となる様に放射型発振装置を配置する構成とし、周波数変換用のミキサーダイオードにより受信機として動作させる双方向通信装置の構成を開示している。
また、非特許文献２”Ｃ．Ｍ．Ｍｏｎｔｉｅｌ，Ｌ．Ｆａｎ  ａｎｄ  Ｋ．Ｃｈａｎｇ，’Ａ  Ｓｅｌｆ−Ｍｉｘｉｎｇ  Ａｃｔｉｖｅ  Ａｎｔｅｎｎａ  ｆｏｒ  Ｃｏｍｍｕｎｉｃａｔｉｏｎ  ａｎｄ  Ｖｅｈｉｃｌｅ  Ｉｄｅｎｔｉｆｉｃａｔｉｏｎ  Ａｐｐｌｉｃａｔｉｏｎｓ，’１９９６ＩＥＥＥ  ＭＴＴ−Ｓ  Ｄｉｇｅｓｔ，ＴＵ４Ｃ  ｐｐ．３３３−３３６，１９９６”では、ガンダイオードを発振素子として用い、ガンダイオードのバイアス電圧に高周波電圧を重畳することで周波数変調を生じさせ、同じように作られたガンダイオード発振器に照射し、注入同期現象を起こさせると同時に、周波数変調成分を他方の放射型発振装置に伝達し、ガンダイオード自身のミキサー動作により、双方向の送受信は同時には不可能であるが、高周波信号成分を通信できる技術について開示している。
上記のように、既存の込み合った無線システムとの干渉や、高密度な無線装置の配置による干渉や共存の問題など多くの未解決な問題を避け、広大な領域の多数の観測点をカバーするセンサーネットワークや、簡易な無線通信ネットワークを実現するための新しい無線装置技術とそれを用いた無線ネットワーク構成技術が開発されつつある。
しかし、従来型の無線装置技術と無線ネットワーク構成技術では、構成が複雑化し、それに伴いコストも高く付き、また電力消費や信号品質の点でも問題を有し、無線ネットワークの実用化と普及に大きな妨げとなっている。
本発明は上記の課題を解決するためになされたもので、基本無線通信装置の構成として極めて単純な構成のものを用い、低コスト、低電力消費かつ信号も高品質となる、無線通信システム構成に適した超高周波帯〜ミリ波帯の無線ネットワークシステムを提供することを目的とする。
【発明の開示】
【０００３】
この発明は、以下のようなものである。
（１）各種の信号を相互に中継、伝送する無線ネットワークシステムにおいて、超高周波発振用共振器に、負性抵抗を発生するようにトランジスタを集積化させるとともに電磁波を空間へ放射するアンテナの機能を共用させるように構成した放射型発振装置と、上記放射型発振装置に中間周波数信号を出力する中間周波数信号発生部と、送信されてきた信号を受信する受信信号検出部と、を備える無線通信装置を複数有し、その複数の無線通信装置を互いに引き込み現象を起こす位置に対向させて配置し、上記複数の無線通信装置の少なくとも１つは、中間周波数信号発生部が他と異なる周波数帯信号発生機能を持ち、また受信信号検出部が他と異なる周波数帯を弁別し受信できる機能を有し、一の無線通信装置の送出した信号は、対向する他の無線通信装置に伝送され、その対向する他の無線通信装置はその受信信号検出部で受信して取り出す、ことを特徴とする。
（２）（１）に記載の無線ネットワークシステムにおいて、上記複数の無線通信装置の各々は、１または複数の指向性ビームを持つ、ことを特徴とする。
（３）（１）または（２）に記載の無線ネットワークシステムにおいて、上記複数の無線通信装置の各中間周波数信号発生部及び各受信信号検出部は、互いに同じ周波数帯を共有する、ことを特徴とする。
（４）（１）から（３）の何れか１項に記載の無線ネットワークシステムにおいて、上記複数の無線通信装置の各放射型発振装置の少なくとも１つは、周波数安定化機能が施されている、ことを特徴とする。
（５）（１）から（４）の何れか１項に記載の無線ネットワークシステムにおいて、上記複数の無線通信装置の各中間周波数信号発生部は、固有のアドレス信号を重畳する機能を持ち、何れの無線通信装置から発した信号であるかを識別できるようになっている、ことを特徴とする。
（６）（１）から（５）の何れか１項に記載の無線ネットワークシステムにおいて、上記複数の無線通信装置の各中間周波数信号発生部は、各種のセンサーまたは他のセンサーネットワークからの信号と接続し、その取得データを転送する機能を持つ、ことを特徴とする。
（７）（１）から（６）の何れか１項に記載の無線ネットワークシステムにおいて、当該無線ネットワークシステムは、他の有線または無線通信ネットワークと接続され統合的に制御管理される、ことを特徴とする。
本発明によれば、複数の無線通信装置の各々に設けられる放射型発振装置は、動作状態において互いに同期し、一の放射型発振装置において中間周波数信号発生部からの信号が入力された場合、当該信号は当該放射型発振装置において周波数変換（アップコンバート）され、無線伝送周波数帯の側波として送出され無線ネットワークとして共有される。そのとき、その中間周波数信号と一致する周波数帯の受信信号検出部を持つ放射型発振装置では、周波数変換（ダウンコンバート）され受信される。また、他の放射型発振器で送られた異なる中間周波数の信号は、同様に周波数変換（アップコンバート）され、無線伝送周波数帯の前記とは異なる周波数位置の側波として送出され、新たな中間周波数に対応する周波数帯の受信信号検出部を持つ放射型発振装置では受信される。本発明による無線ネットワークシステムでは、周波数変換における局部発振周波数が同期されているため、位相雑音や周波数ドリフトの影響は無く極めて良質な双方向の伝送が確保される。また、トランジスタを負性抵抗発振条件となる様に構成した平面型の放射型発振装置では、ガンダイオードを用いた場合に比べ２０〜３０倍以上の高い効率が期待でき、低電力消費であるためバッテリーでの動作も可能であり低コストな構成部品としての無線通信装置を提供できるので、無線ネットワークシステムの実用化が期待できる。
また、無線通信装置に設ける放射型発振装置の構成及び放射器構造を選択することで出力ビームを片面方向、双方向、多ビーム型に成形し、組み合わせることで、放射型発振装置の配置によるネットワーク構成は自在となり、多くのセンサーネットワーク、セキュリティネットワーク、通信制御ネットワークなど複雑な設置条件での無線リンクの形成にとって実用性が高く、多方面への応用技術として提供できる。特に、高い指向性ビームを持つモジュールによるミリ波帯の無線ネットワークの形成は、他の無線システムとの干渉問題を避け、周波数共存に適し周波数資源の有効利用の面で効果がある。
さらに、無線ネットワークシステムを構成する放射型発振装置に接続する中間周波数信号発生部及び受信信号検出部が相互に同じ周波数帯を共有する放射型発振装置間では、いずれの放射型発振装置からの信号も互いに共有することができ、無線ネットワークシステムの機能目的に応じて効果的に利用できる。
さらにまた、本発明における無線ネットワークシステムの周波数安定度を技術的に要求される条件内に保持する事ができるほか、特定の無線リンクが遮断された場合にも周波数安定化が維持される構成が確保される。
ついで、各放射型発振装置のアドレスが記されることで、本発明の無線ネットワークシステムのどの個所からの信号情報であるかが容易に識別できる。
また、本発明の無線ネットワークシステムが相互に、また他の種類のネットワークと接続されることでより多様な機能が発揮される事が期待される。
本発明による無線ネットワーク構成を複数束ねた形で、有線または他の無線通信ネットワークと接続されることにより上位の系として統合的に制御管理されるネットワークシステムが可能である。
【図面の簡単な説明】
【０００４】
第１図は、本発明の無線ネットワークシステムの原理を示す構成図である。
第２図は、本発明の無線ネットワークシステムの構成要素である、１または複数の指向性ビームを持つ放射型発振装置に関する説明図である。
第３図は、本発明の無線ネットワークシステムの構成例を示す図である。
第４図は、本発明の無線ネットワークシステムを構成する無線通信装置の基本回路の具体例である。
第５図は、中間周波数信号発生部４にて、ＩＦ周波数ｆＩＦ＝５００ＭＨｚのＡＭ信号を発生させた場合のＲＦ放射信号を示す。
第６図は、第４図に示す回路の無線通信装置を２台用意して対向させ、一方の無線通信装置から放射された第５図の信号を他方の無線通信装置にて受信し、ダウンコンバートしたときの受信ＩＦ信号を示す。
【発明を実施するための最良の形態】
【０００５】
以下、図面を参照して本発明の実施の形態を説明する。
第１図は本発明の無線ネットワークシステムの原理を示す構成図である。この発明は、各種の信号を相互に中継、伝送する無線ネットワークシステムであり、第１図（ａ）に示すように、超高周波発振用共振器に、負性抵抗を発生するようにトランジスタを集積化させるとともに電磁波を空間へ放射するアンテナ１１の機能を共用させるように構成した放射型発振装置１と、放射型発振装置１に中間周波数信号を出力する中間周波数信号発生部４と、送信されてきた信号を受信する受信信号検出部７と、を備える無線通信装置１０１を複数有し、その複数の無線通信装置１０１，１０２，１０３を互いに引き込み現象を起こす位置に対向させて配置し、複数の無線通信装置１０１，１０２．１０３の少なくとも１つは、中間周波数信号発生部が他と異なる周波数帯信号発生機能を持ち、また受信信号検出部が他と異なる周波数帯を弁別し受信できる機能を有し、一の無線通信装置１０１の送出した信号は、対向する他の無線通信装置１０２，１０３に伝送され、その対向する他の無線通信装置１０２，１０３はその受信信号検出部８，９で受信して取り出すようになっている。
第１図（ａ）において、放射型発振装置１では、アンテナ１１を兼ねる共振構造に接続されたトランジスタが設けられており、該トランジスタがＤＣバイアス電源１０から供給される直流バイアス電圧において負性抵抗を発生するように構成されている。ＤＣバイアス電源１０から供給されるエネルギーは、放射型発振装置１によって高周波発振エネルギーに変換され、アンテナ１１から空間へ放射される。第１図（ａ）の放射型発振装置２及び３は、放射型発振装置１と基本的に同様であるが、ＤＣバイアス電源１０に関する図中の表記に関し省略してある。無線通信装置１０１，１０２及び１０３にそれぞれ設けられた放射型発振装置１、２及び３は互いに対向するように配置され、発振周波数の引き込み現象により放射型発振装置は共通の周波数ｆ０で発振し、位相同期された状態になる。放射型発振装置１、２及び３にそれぞれ接続する中間周波数信号発生部４，５，及び６の信号周波数帯は、それぞれｆ１、ｆ２、ｆ３であり、受信信号検出部は、異なる周波数帯を弁別し受信できる機能を持ち、一つの放射型発振装置の送出した信号は、対向する他の放射型発振装置に伝送され受信信号検出部で取り出すことができる。第１図（ｂ）は、中間周波数信号発生部からの入力が無い場合の周波数スペクトルを示す。さらに、放射型発振装置１と放射型発振装置２にそれぞれ接続する中間周波数信号発生部４及び５からの入力が有り、放射型発振装置３に接続する中間周波数信号発生部６からの入力が無い場合の無線ネットワークの共有する周波数スペクトルは、第１図（ｃ）の様になる。
この状態では、放射型発振装置１と放射型発振装置２からの信号周波数帯を弁別し互いに識別し受信する事ができる。
第２図は、本発明の無線ネットワークシステムの構成要素である放射型発振装置が１または複数の指向性ビームを持つ構成に関する説明図である。第２図（ａ）は、片面方向の放射パターンを持つ放射型発振装置１２の構成を示す。該放射型発振装置１２は、ごく普通の平面アンテナ構造を有するアンテナ１２１を用いることによって、指向性が低い広角度の放射パターンＷ１２１の電磁波を放射する。放射型発振装置１２は、レンズやホーン等の付加的な手段を用いることによって、より高い指向性利得を有する放射パターンＤＷ１２１の電磁波を放射することができる。第２図（ｂ）は、双方向性の放射特性を持つ放射型発振装置１３についての概念図であり、通常スロット型の共振器（アンテナ１３１、１３１）等を用いることにより、双方向性の放射パターンＷ１３１を容易に実現できる。該放射パターンＷ１３１は、上記付加的な手段を用いて放射型発振装置１２を構成することによって、放射パターンＤＷ１３１のように指向性利得を高めることができる。
第２図（ｃ）（ｄ）（ｅ）は、多ビーム化されたパターンの電磁波を放射する放射型発振装置１４、１５及び１６の構成を示す。第２図（ｃ）の放射型発振装置１４は、放射パターンを決めるアンテナ部に付加的な構造を組み合わせたり、アンテナ部に変形を加えることで、アンテナ１４１が所定の角度で２方向に取り付けられている無線装置の様に、所定の２方向に高い指向性利得を有する放射パターンＤＷ１４１の電磁波を放射する構成を実現した放射型発振装置からなる無線装置を表している。第２図（ｄ）は、放射型発振装置１５の共振器を兼ねるアンテナに、第２図（ｃ）とは異なる変形を加えるか、又は異なる付加的な構造を加えることで、３方向のビームを持つ無線通信装置を構成した場合であり、アンテナ１５１が所定の角度で３方向に取り付けられているかのように、所定の３方向に指向性利得を有する放射パターンＤＷ１５１を持つ無線装置を表している。同様に、第２図（ｃ）の２方向ビームの放射パターンを持つ放射型発振装置を両面放射型として用いることで、第２図（ｅ）に示す４方向ビーム放射特性を持つ無線装置が実現できる。この場合、放射型発振装置１６は、所定の４方向に高い指向性の放射パターンＤＷ１６１を持つ無線装置として、それぞれの方向へ電磁波が放射され、それぞれの方向の無線通信装置と相互作用し無線リンクを形成できる。上記放射型発振装置１４、１５及び１６は、いずれもアンテナ技術で用いられるスロット構造やパッチ構造の複数配置により生じる特性を利用することで実現できる。
第２図（ａ）〜（ｅ）の放射パターンは、本発明による無線ネットワークシステムの構成要素としての放射型発振装置の電磁波の放射パターンの概念を例示したものである。本発明においては、一般的な多ビームアンテナパターン、または広角度な放射パターンを組み合わせ、立体構成を含めた種々の電磁波の放射パターン構成技術を組み合わせることが可能であることはもちろんである。
第３図は、本発明の無線ネットワークシステムの構成例を示す図である。第３図の無線ネットワークシステムを構成する無線通信装置１２０〜１６０は、第２図（ａ）〜（ｅ）に示された放射型発振装置１２〜１６により構成されている。尚、上記無線通信装置１２０〜１６０は第１図（ａ）の無線通信装置１０１と基本的に同様の構成を有するが、中間周波数信号発生部、受信信号検出部及びＤＣバイアス電源に関する図中の表記に関し、便宜上省略してある。
第３図の無線ネットワークシステムは、その周波数安定度を技術基準で要求される条件内に保持するため、周波数安定化手段Ｓにより周波数安定化機能が施されている場合の配置の一例を示している。この構成例によれば、無線通信装置１２０〜１６０を構成する放射型発振装置１２〜１６が共通の周波数ｆ０で発振し且つ位相同期される。この状態で中間周波数帯ｆ１２〜ｆ１６の信号は、アップコンバートされ、他の無線通信装置が、同じ中間周波数帯域を持つとき、その受信信号検出部で取り出される。周波数安定化手段は、放射型発振装置１２〜１６が周波数安定化手段Ｓにより無線装置としての許容範囲内の周波数安定度を確保するために必要である。無線ネットワークシステムを構成する無線通信装置の少なくとも１つに周波数安定化手段Ｓを接続することにより、周波数安定化を維持する構成を実現できる。第３図の構成例のように、複数の放射型発振装置に周波数安定化手段Ｓを設けることにより、無線ネットワークシステムがアクシデント等により部分的に遮断された場合、例えば、無線通信装置１２０及び１５０間のネットワークが遮断された場合であっても、無線ネットワークを構成する無線通信装置の発振周波数ｆ０の高い安定度が確保される。
尚、本発明の無線ネットワークシステムを構成する無線通信装置は、効率が高く、数十ｍＷ以下の低電力供給で動作させることができる。そこで、ＤＣバイアス電源の代わりに、マイクロ波による電力伝送や太陽電池等の発電システム或いはエネルギー変換システム、リチウム電池や水素電池等の小型電池等の小型軽量化された電力供給手段を使用して、１０ｍＷ〜２０ｍＷの微小な電力を各無線通信装置に供給することにより、本発明の無線ネットワークシステムを連続動作させるように構成することができる。これは、電源供給が困難な場所に設置される無線装置に対し有効である。
また、無線ネットワークシステムを構成する放射型発振装置にアドレスが記されることで、本発明の無線ネットワークシステムのどの個所からの信号情報であるかが容易に識別できる。また、本発明の無線ネットワークシステム相互に、また他の種類のネットワークと接続されることでより多様な機能が発揮されることが期待される。
本発明の無線ネットワークシステムを構成する無線通信装置の基本回路の具体例とその動作原理の実験結果を以下に示す。
第４図は本発明の無線ネットワークシステムを構成する無線通信装置の基本回路の具体例である。トランジスタ１ａのゲートには導体パッチ１０１ａが接続され，ドレインには導体パッチ１０１ｂおよびドレイン電圧供給用のＲＦチョーク回路１０ａが接続され，ＲＦチョーク回路１０ａとＤＣバイアス電源１０との間にＩＦチョーク回路１０ｂが直列に接続されている。ソースには発振条件を満たすインピーダンス線路１０１ｃを介して接地されている。受信信号検出部７と中間周波数信号発生部４は，送信ＩＦ信号と受信ＩＦ信号を弁別するためのダイプレクサ１ｂを通じて，ＲＦチョーク回路１０ａとＩＦチョーク回路１０ｂとの接続点１０ｃに接続されている。
次に、無線通信装置の動作原理実験結果を説明する。
中間周波数信号発生部４にて、ＩＦ周波数ｆＩＦ＝５００ＭＨｚのＡＭ信号（サイン波、変調周波数ｆｍ＝５０ｋＨｚ）を発生させた場合のＲＦ放射信号を第５図に示す。このＲＦ放射信号はスペクトラムアナライザにて実測したものである。ここで、ＩＦ信号は、放射型発振装置の発振周波数をローカル信号周波数とした放射型発振装置自身によるミキシングによりアップコンバートされ、ＲＦ放射信号に変換されている。よって，放射型発振装置の発振周波数ｆ０に対し、ｆ０−ｆＩＦとｆ０＋ｆＩＦの周波数成分が発生する。
ＡＭ信号の振幅変化によりトランジスタ１ａのドレイン電圧Ｖｄがｆｍ＝５０ｋＨｚで変化しており、それによってＲＦ発振周波数の変化▲△▼ｆ＝４ＭＨｚが生じている。８．３５０５ＧＨｚがサイン変調波の山、８．３４６５ＧＨｚがサイン変調波の谷に相当する。
次に、第４図に示す回路の無線通信装置を２台用意して対向させ、一方の無線通信装置から放射された第５図の信号を他方の無線通信装置にて受信し、ダウンコンバートしたときの受信ＩＦ信号を第６図に示す。
前述したように、ＲＦ信号には▲△▼ｆ＝４ＭＨｚの周波数変動が起きているが、発振周波数の引き込み現象により上記２台の無線通信装置は同期状態にあり、よって、第６図に示す受信ＩＦ信号においては、第５図に示す▲△▼ｆ＝４ＭＨｚの周波数変動や位相ノイズがキャンセルされ、元のＡＭ信号（サイン波，変調周波数ｆｍ：５０ｋＨｚ）が再現され、受信ＩＦ信号が得られている。この受信ＩＦ信号は受信信号検出部７で検出される。尚、本例のＩＦ信号はＡＭ信号であるが、ＦＭ変調でも同様に動作し、特に変調方法に限定は無い。
【産業上の利用可能性】
【０００６】
以上のように、本発明の無線ネットワークシステムは、周波数変換における局部発振周波数が同期されているため、位相雑音や周波数ドリフトの影響は無く極めて良質な双方向の伝送が確保され、超高周波帯〜ミリ波帯の無線通信に適している。また、本発明の無線ネットワークシステムは、基本無線通信装置の構成として極めて単純な構成のものを用いて構成することができるので、低コスト、低電力消費である。
【図１】
0004586186.tif 000002
【図２】
0004586186.tif 000003
【図３】
0004586186.tif 000004
【図４】
0004586186.tif 000005
【図５】
0004586186.tif 000006
【図６】
0004586186.tif 000007